(57)【要約】【課題】バッチを装着した者がどの国の言語を話すことができるのか一目で分かり、表示性に優れ、横ずれしにくく、容易に縦列連結数を変えることができる縦型連結式バッチを提供すること。【解決手段】第１の表示部と前記第１の表示部を取り付ける第１の台座と、第２の表示部と前記第２の表示部を取り付ける第２の台座とを有するバッチであって、前記第１の台座及び第２の台座は下部に差入溝部を有し、前記第２の台座はさらに前記差入溝部に挿入し係止可能な差込突起部を上部に有し、前記第１の台座の下に、着脱可能に、１又は複数の前記第２の台座を縦列で連結してなるものであって、前記第１の表示部がロゴマークプレートであって、前記第２の表示部が国旗プレートである構成とする。【選択図】図１
0003128318.tif 000002
【実用新案登録請求の範囲】
【請求項１】
第１の表示部と前記第１の表示部を取り付ける第１の台座と、第２の表示部と前記第２の表示部を取り付ける第２の台座とを有するバッチであって、前記第１の台座及び第２の台座は下部に差入溝部を有し、前記第２の台座はさらに前記差入溝部に挿入し係止可能な差込突起部を上部に有し、前記第１の台座の下に、着脱可能に、１又は複数の前記第２の台座を縦列で連結してなることを特徴とするバッチ。
【請求項２】
前記差入溝部が、一方の端にストッパーを有し下方開口部が狭く上方内部が広い溝であって、前記差込突起部が前記差入溝部に対応した突起であって、前記差入溝部に、下方に連結する台座の差込突起部をスライド挿入して係止することを特徴とする請求項１に記載のバッチ。
【請求項３】
前記第１の台座及び前記第２の台座が、安全ピンを差し込んで固定可能な横長の窪みを有する取付突起部を背面に各々設けてあり、前記取付突起部には、着脱可能に安全ピンを取り付けてあることを特徴とする請求項１又は請求項２のいずれかに記載のバッチ。
【請求項４】
前記表示部が、プラスチックプレートであって、前記台座が、プラスチック製で、前記表示部と前記台座部とは両面テープにより貼り合わせてあり、前記表示部を取り付ける部分について前記プラスチックプレート及び前記両面テープを合わせた厚みと同じ深さの窪みを設けてあることを特徴とする請求項１〜請求項３のいずれかに記載のバッチ。
【請求項５】
前記第１の表示部がロゴマークプレートであって、前記第２の表示部が国旗プレートであることを特徴とする請求項１〜請求項４のいずれかに記載のバッチ。
【請求項６】
前記第１の台座の前記取付突起部は、幅が前記第１の台座の前記取付突起部より長く、前記第１の台座に取り付ける安全ピンは、前記第１の台座に取り付ける安全ピンより長いことを特徴とする請求項３に記載のバッチ。
【考案の詳細な説明】
【技術分野】
【０００１】
本考案は、衣類に取り付けるバッチに関する。
【背景技術】
【０００２】
海外のホテルや観光施設等は、様々な言語を話す人々が利用するケースが多い。訪れた客は、従業員がどのような言語を話せるのかを、顔やコミュニケーションから探ることになる。しかし、語学が堪能でない客には、かかる作業は負担に感じられ、ストレスとなっていた。衣類に取り付けたバッチの名前からその人が話せる言語を推察しようとしても、名前は大概小さくて見難く、また名前だけでは判断できないことも多く、その人が話せる言語を即座に知るには不十分であった。
【０００３】
従来、複数のバッチを衣類に取り付けるものが知られている（例えば、特許文献１、特許文献２参照。）。特許文献１には、バッチ本体の裏面に連結用の係止突起を設けたバッチが記載されている。また、特許文献２には、バッチ本体と保持具からなり、バッチ本体の裏面に位置決め機構と保持具に固定するための固定機構とが設けられ、保持具に位置決め機構と係合する抜き穴が設けてあるバッチが記載されている。
【特許文献１】実用新案登録第３０４３９９６号公報（段落［０００５］）
【特許文献２】実用新案登録第３１１３１１１号公報（段落［００１１］）
【考案の開示】
【考案が解決しようとする課題】
【０００４】
しかし、上記特許文献１に記載されたバッチでは、連結するために別部品として係止孔を設けた連結片が必要であり、部品点数が多く、取付け・取外し作業が煩わしいという問題及び各バッチが突起と孔の隙間でずれやすく見栄えが悪いという問題があった。また、上記特許文献２に記載されたバッチでは、取り付けるバッチの数によって保持具を取り替えて付け直す必要があり、また、バッチ本体を保持具に固定するためにボルト・ナットといった固定機構部品が必要であり、部品点数が多く、取付け・取外し作業が煩わしいという問題があった。
【０００５】
したがって、本考案の目的は、上記した課題を全て解決し、容易に縦列連結数を変えることができる縦型連結式バッチを提供することにある。
【課題を解決するための手段】
【０００６】
本考案の態様は、上記目的を達成するため、第１の表示部と前記第１の表示部を取り付ける第１の台座と、第２の表示部と前記第２の表示部を取り付ける第２の台座とを有するバッチであって、前記第１の台座及び第２の台座は下部に差入溝部を有し、前記第２の台座はさらに前記差入溝部に挿入し係止可能な差込突起部を上部に有し、前記第１の台座の下に、着脱可能に、１又は複数の前記第２の台座を縦列で連結してなることを特徴とするバッチを提供する。第１の台座の差入溝部に、下に連結する第２の台座の差込突起部を差し込み、所望に応じて、かかる第２の差入溝部に、下に連結する別の第２の台座の差込突起部を差し込み、あるいは取り外すことによって、容易に縦列連結数を変えることができる。
【０００７】
前記差入溝部が、一方の端にストッパーを有し下方開口部が狭く上方内部が広い溝であって、前記差込突起部が前記差入溝部に対応した突起であって、前記差入溝部に、下方に連結する台座の差込突起部をスライド挿入して係止することが好ましい。連結される台座の差入溝部に、連結する台座の差込突起部をしっかり嵌めこむことができるので縦方向のずれが防止でき、また、ストッパーにより横ずれが防止できるので、縦に複数個連結した台座同士がずれにくく、したがって装着時に違和感がなく、また見栄えがよく表示性に優れる。
【０００８】
前記第１の台座及び前記第２の台座が、安全ピンを差し込んで固定可能な横長の窪みを有する取付突起部を背面に各々設けてあり、前記取付突起部には、着脱可能に安全ピンを取り付けてあることが好ましい。衣服への取付時に、第１の台座の安全ピンと、一番下に位置する第２の台座の安全ピンとを用いて取り付けることができ、バッチの横揺れ前倒れを防止できる。さらに、前記第１の台座の前記取付突起部は、幅が前記第１の台座の前記取付突起部より長く、前記第１の台座に取り付ける安全ピンは、前記第１の台座に取り付ける安全ピンより長いことが好ましい。
【０００９】
また、前記表示部が、プラスチックプレートであって、前記台座が、プラスチック製で、前記表示部と前記台座部とは両面テープにより貼り合わせてあり、前記表示部を取り付ける部分について前記プラスチックプレート及び前記両面テープを合わせた厚みと同じ深さの窪みを設けてあることが好ましい。軽量であるので、重量的に違和感がない。さらに、前記第１の表示部がロゴマークプレートであって、前記第２の表示部が国旗プレートであることが好ましい。
【考案の効果】
【００１０】
本考案によれば、容易に縦列連結数を変えることができる。
【考案を実施するための最良の形態】
【００１１】
以下、本考案の縦型連結式バッチについて、詳細に説明する。
【実施例１】
【００１２】
（構成）
図１は、本考案の実施例１のバッチの正面概略図である。本考案の実施例１のバッチ（１）は、縦型連結式で、第１の台座としてロゴマーク台座（２）、第２の台座として国旗台座（３ａ、３ｂ、３ｃ）、第１の表示部としてロゴプレート（４）、第２の表示部として国旗プレート（５ａ、５ｂ、５ｃ）を有する。図１は、ロゴプレート（４）を貼り付けたロゴマーク台座（２）の下に、国旗プレート（５）を貼り付けた国旗台座（３）を縦に３個連結した状態のバッチ（１）を示す。ロゴマーク台座（２）、国旗台座（３）、ロゴプレート（４）、国旗プレート（５）はプラスチック素材で構成される。ロゴプレート（４）には、「Ｉ  ｃａｎ  ｓｐｅａｋ」という文字と地球がシルク印刷で印刷されており、国旗プレート（５）には、各国の国旗がシルク印刷で１つずつ印刷されている。例えば、国旗プレート（５ａ）はアメリカの国旗で、ロゴプレート（４）との組み合わせで、装着した者が、米語が話せることを表示する。同様にして、国旗プレート（５ｂ）は中国の国旗で、中国語が話せることを示し、国旗プレート（５ｃ）は日本の国旗で、日本語が話せることを示す。バッチ（１）は、ロゴマーク台座（２）の背面に安全ピンを取り付け、かかる安全ピンによって衣類に装着できる。バッチ（１）を装着した者を見た人は、その者が米語と中国語と日本語を話せることを視覚的に即座に理解できる。また、国旗プレート（５）は、それぞれ国旗台座（３）に嵌めて縦に連結してあるため、国旗間に間隔があり、見易い。
【００１３】
本考案の実施例１のバッチは、ロゴマーク台座（２）が横３３ｍｍ、縦２７ｍｍ、厚み３ｍｍで、国旗台座（３）が横幅１７ｍｍ、縦１３．３ｍｍ、厚み３ｍｍである。厚みが薄く、軽量で、重量的に違和感がない。ロゴプレート（４）は、横３１ｍｍ、縦２２ｍｍ、厚み１ｍｍである。ロゴプレート（４）は略円形で、左右に突出した部分を有する。国旗プレート（５）は、横１５ｍｍ、縦１０ｍｍ、厚み１ｍｍである。
【００１４】
図２は、本考案の実施例１のバッチのロゴマーク台座の（ａ）正面図、（ｂ）左側面図、（ｃ）右側面図、（ｄ）平面図、（ｅ）底面図、（ｆ）背面図である。ロゴマーク台座（２）は、下部に差入溝部（２１）を有し、背面側に取付突起部（２２）を有し、正面側すなわち表示側にプレート取付用窪み部（２４）を有する。プレート取付用窪み部（２４）は、ロゴプレート（４）の形状・大きさに合わせた窪みで、窪みの深さはロゴプレート（４）の厚みとロゴプレート（４）の背面に貼り付けた両面テープの厚みとを合わせた厚みと同じにしてある。ロゴプレート（４）とロゴマーク台座（２）とは、両面テープによりプレート取付用窪み部（２４）において貼り合わせてある。
【００１５】
差入溝部（２１）は、国旗台座（３）を連結するためのもので、ロゴマーク台座（２）の底面全体に渡り設けられた細長い横溝で、その一端、本実施例においては下方から見て左側、にはストッパー（２３）を有する。図３は、本考案の実施例１のバッチのロゴマーク台座の差入溝部分の拡大図である。図３は、差入溝部分を左から見た図である。差入溝部（２１）は、下方開口部が狭く上方内部が広いテーパー状となっている。左右から見ると断面が略逆三角形の溝で、雌型である。
【００１６】
図４は、本考案の実施例１のロゴマーク台座の取付突起部分の拡大図である。図４は、取付突起部分を左から見た図である。取付突起部（２２）は、安全ピンをロゴマーク台座（２）に取り付けるためのもので、安全ピンを差し込んで固定可能な窪み（２２１）を有する。窪み（２２１）は、開口部にツメ（２２２）を有する。取付突起部（２２）には、安全ピン（図示せず）を取り付けてある。ツメ（２２２）が、安全ピンがずれ落ちるのを防止する。衣服に取り付けてあるときは、重心が多少下がり、安全ピンが上部にあるため外れることはない。安全ピンを取り外すときは、安全ピンを強く引っ張ってロゴマーク台座（２）から抜く。取り外した安全ピンを再度ロゴマーク台座（２）に装着するときは、ツメ（２２２）に安全ピンを押し当てて、窪み（２２１）に押し入れて挿入する。
【００１７】
図５は、本考案の実施例１のバッチの国旗台座の（ａ）正面図、（ｂ）左側面図、（ｃ）右側面図、（ｄ）平面図、（ｅ）底面図、（ｆ）背面図である。国旗台座（３）は、下部に差入溝部（３１）を有し、背面側に取付突起部（３２）を有し、正面側すなわち表示側にプレート取付用窪み部（３４）を有し、上部に差込突起部（３５）を有する。プレート取付用窪み部（３４）は、国旗プレート（５）の形状・大きさに合わせた窪みで、窪みの深さは国旗プレート（５）の厚みと国旗プレート（５）の背面に貼り付けた両面テープの厚みとを合わせた厚みと同じにしてある。国旗プレート（５）と国旗台座（３）とは、両面テープによりプレート取付用窪み部（３４）において貼り合わせてある。
【００１８】
差入溝部（３１）は、別の国旗台座（３）を連結するためのもので、国旗台座（３）の底面全体に渡り設けられた細長い横溝で、その一端、本実施例においては下方から見て左側、にはストッパー（３３）を有する。ストッパー（３３）は、差入溝部（３１）内の小さい突起部分である。差込突起部（３５）は、ロゴマーク台座（２）又は別の国旗台座（３）を連結するためのもので、国旗台座（３）の上面全体に渡り設けられた細長い突起である。図６は、本考案の実施例１のバッチの国旗台座の（ａ）差入溝部分の拡大図、（ｂ）差込突起部分の拡大図である。図６は、差入溝部分、差込突起部分を左から見た図である。差入溝部（３１）は、ロゴマーク台座（２）の差入溝部（２１）と同じ形状で、差込突起部（３５）は、差入溝部（３１）及びロゴマーク台座（２）の差入溝部（２１）に対応した形状で、突起部の根元が狭く突起部の上方が広いテーパー状となっている。差込突起部（３５）は、左右から見ると断面が略逆三角形の突起で、雄型である。
【００１９】
取付突起部（３２）は、安全ピンを国旗台座（３）に取り付けるためのもので、ロゴマーク台座（２）の取付突起部（２２）と同様な構成である。取付突起部（３２）には、安全ピン（図示せず）を着脱可能に取り付けてある。国旗台座（３）の連結数が少ないときはロゴマーク台座（２）だけに安全ピンをつければ十分である。国旗台座（３）の連結数が多くて振り子のようになる可能性があれば、一番下の国旗台座（３）の安全ピンを衣服につけてバッチが横に揺れたり前に倒れたりするのを防止できる。所望に応じて国旗台座（３）の不要な安全ピンを取り外すことも可能である。取付突起部（３２）の幅は、取付突起部（２２）の幅より短く、第２の台座に取り付ける安全ピンは、第１の台座に取り付ける安全ピンより短いものとしてある。取付突起部（３２）の安全ピンは、横揺れ前倒れ防止のための補助的な役割を果たす。
【００２０】
図７は、本考案の実施例１のバッチの、ロゴマーク台座に国旗台座を３個連結した状態の（ａ）正面図、（ｂ）左側面図、（ｃ）右側面図である。ロゴマーク台座（２）への国旗台座（３ａ）の連結は、差入溝部（２１）のストッパーのない側（図７において紙面右側）から国旗台座（３ａ）の差込突起部（３５ａ）をスライドして挿入し、ストッパー（２３）で止めることにより係止して行う。
【００２１】
また、国旗台座（３ａ）への国旗台座（３ｂ）の連結は、国旗台座（３ａ）の差入溝部（３１ａ）のストッパーのない側（図７において紙面右側）から国旗台座（３ｂ）の差込突起部（３５ｂ）をスライドして挿入し、国旗台座（３ａ）のストッパー（３３ａ）で止めることにより係止して行う。国旗台座（３ｂ）への国旗台座（３ｃ）の連結は、国旗台座（３ａ）への国旗台座（３ｂ）の連結と同様に行う。これにより、国旗台座（３）は、複数個、縦に連結できる。ロゴマーク台座（２）から取り付けた国旗台座（３ａ）を取り外すときは、取り付けた国旗台座（３ａ）をストッパーのない側にスライドして取り外す。国旗台座（３）から取り付けた別の国旗台座（３）を取り外すときも同様である。片側からスライドして脱着できるので連結・取り外し作業が容易である。
【００２２】
（効果）
本実施例は、かかる構成であるため、容易に縦列連結数を変えることができるという効果を有する。より詳細には、（イ）〜（ヌ）の効果を有する。
【００２３】
（イ）ロゴマーク台座の差入溝部に、下に連結する国旗台座の差込突起部を差し込み、所望に応じて、かかる国旗台座の差入溝部に、下に連結する別の国旗台座の差込突起部を差し込み、あるいは取り外すことによって、容易に縦列連結数を変えることができる。
（ロ）差入溝部と差込突起部が対応するテーパー状の形状を有するのでしっかり嵌めこむことができ、したがって連結した台座の縦方向のずれが防止できる。
（ハ）ストッパーにより横ずれが防止できるので、縦に複数個連結した台座同士がずれにくい。
（ニ）縦にも横にもずれにくいので、動いても違和感がない。
（ホ）各台座がずれにくく、またプレートが台座にきちんと嵌め込んであるので、見栄えがよく表示性に優れる。
（へ）各台座に、安全ピンを差し込んであり固定可能な窪みを有する取付突起部を背面に設けてあるので、連結数に応じ、安全ピンを取り外しできるので、裏からも見栄えがよく、また不必要に衣服に穴をあけずにすむ。
（ト）安全ピンは、窪みに挿入して装着するので、接着剤で貼付けるものと違い、剥がれおちる心配がない。
（チ）プラスチック製であるため、丈夫でかつ軽量なため連結しても違和感なく装着できる。
（リ）台座にプレートの厚み分だけ窪みを設けてあるので、プレートがずれ落ちにくく、また表示部と台座の間に段差がなく見栄えが良い。
（ヌ）ロゴマークプレートと国旗プレートとの組み合わせにより、バッチを装着した者がどの国の言語を話すことができるのか一目で分かり、表示性に優れる。
【００２４】
本考案のバッチは、ホテルやレストラン、国際イベント、空港、飛行機内、デパート、ショッピングセンター、その他の観光施設等、様々なところで利用できる。このような施設の従業員が本考案の縦型連結式バッチを装着すれば、海外から来て訪問国の言葉が分からない客でも、自分が話せる言語を習得している人が容易に探せるので便利である。また、従業員側としてもスキルが明示できるので、語学習得意欲が増し、能力向上に繋がる。
【００２５】
なお、本考案は、上記実施の形態に限定されず、その考案の趣旨を逸脱しない範囲で種々と変形実施が可能である。また、上記各実施の形態の構成要素を考案の趣旨を逸脱しない範囲で任意に組み合わせることができる。
【図面の簡単な説明】
【００２６】
【図１】本考案の実施例１のバッチの正面概略図である。
【図２】本考案の実施例１のバッチのロゴマーク台座の（ａ）正面図、（ｂ）左側面図、（ｃ）右側面図、（ｄ）平面図、（ｅ）底面図、（ｆ）背面図である。
【図３】本考案の実施例１のバッチのロゴマーク台座の差入溝部分の拡大図である。
【図４】本考案の実施例１のロゴマーク台座の取付突起部分の拡大図である。
【図５】本考案の実施例１のバッチの国旗台座の（ａ）正面図、（ｂ）左側面図、（ｃ）右側面図、（ｄ）平面図、（ｅ）底面図、（ｆ）背面図である。
【図６】本考案の実施例１のバッチの国旗台座の（ａ）差入溝部分の拡大図、（ｂ）差込突起部分の拡大図である。
【図７】本考案の実施例１のバッチの、ロゴマーク台座に国旗台座を３個連結した状態の（ａ）正面図、（ｂ）左側面図、（ｃ）右側面図である。
【符号の説明】
【００２７】
１      バッチ
２      ロゴマーク台座
２１    差入溝部
２２    取付突起部
２２１  窪み
２２２  ツメ
２３    ストッパー
２４    プレート取付用窪み部
３      国旗台座
３１    差入溝部
３２    取付突起部
３２１  窪み
３２２  ツメ
３３    ストッパー
３４    プレート取付用窪み部
３５    差込突起部
４      ロゴプレート
５      国旗プレート
【図１】
0003128318.tif 000003
【図２】
0003128318.tif 000004
【図３】
0003128318.tif 000005
【図４】
0003128318.tif 000006
【図５】
0003128318.tif 000007
【図６】
0003128318.tif 000008
【図７】
0003128318.tif 000009